(57)【要約】【課題】給湯運転の目的に応じて優先する運転を変更できる暖房給湯装置を提供すること。【解決手段】燃焼手段とその熱で暖房熱媒を加熱する熱交換器と、外部の暖房端末と熱交換器を接続した循環通路に暖房熱媒を循環させるために配設された循環手段と、循環通路から分岐されて暖房端末をバイパスするバイパス通路とその分岐部に配設された分配手段と、バイパス通路に配設された給湯用熱交換器に加熱する湯水を供給する入水通路と、給湯用熱交換器で加熱された湯水を給湯設定温度で外部の給湯配管に給湯する給湯通路と、暖房端末に暖房熱媒を供給する暖房運転と給湯配管に給湯する給湯運転に対応可能なように分配手段を制御する制御手段を備えた暖房給湯装置において、制御手段は、暖房要求と併せて温水使用のための給湯要求がある場合には給湯運転を優先し、暖房要求と併せて給湯配管の保温のための保温要求がある場合には暖房運転を優先する。【選択図】図１
2020085352.tif 000002
【特許請求の範囲】
【請求項１】
燃焼手段と、前記燃焼手段で発生する熱により暖房熱媒を加熱するための熱交換器と、外部の暖房端末と前記熱交換器とを接続する循環通路と、暖房熱媒を循環させるために前記循環通路に配設された循環手段と、前記循環通路から分岐されて前記暖房端末をバイパスするバイパス通路と、前記バイパス通路の分岐部に配設された分配手段と、前記バイパス通路に配設された給湯用熱交換器と、前記給湯用熱交換器に外部の給湯配管及び給水配管の湯水を供給する入水通路と、前記給湯用熱交換器で加熱された湯水を所定の給湯設定温度で前記給湯配管に給湯するための給湯通路と、前記暖房端末に暖房熱媒を供給する暖房運転と前記給湯配管に給湯する給湯運転に夫々対応可能なように前記分配手段を制御する制御手段を備えた暖房給湯装置において、
前記制御手段は、暖房要求と併せて温水使用のための給湯要求がある場合には前記給湯運転を優先し、暖房要求と併せて前記給湯配管の保温のための保温要求がある場合には前記暖房運転を優先することを特徴とする暖房給湯装置。
【請求項２】
前記制御手段に通信可能に接続された操作端末を備え、
前記制御手段は、前記暖房要求と併せて前記保温要求がある場合に、この保温要求が前記操作端末の操作によるものであれば、その保温要求があったときから所定期間は前記給湯運転を優先することを特徴とする請求項１に記載の暖房給湯装置。
【請求項３】
前記給湯用熱交換器に入水する湯水の入水温度を検知する入水温度検知手段を前記入水通路に備え、
前記制御手段は、前記暖房要求と併せて前記保温要求がある場合に、前記給湯設定温度に応じて決定される所定温度よりも前記入水温度が低い間は前記給湯運転を優先することを特徴とする請求項１又は２に記載の暖房給湯装置。
【請求項４】
前記給湯用熱交換器に入水する湯水の入水温度を検知する入水温度検知手段を前記入水通路に備え、
前記制御手段は、前記暖房要求と併せて前記保温要求がある場合に、前記給湯設定温度から前記入水温度を差し引いた差温が予め定められた所定値以上である間は前記給湯運転を優先することを特徴とする請求項１又は２に記載の暖房給湯装置。
【発明の詳細な説明】
【技術分野】
【０００１】
本発明は、暖房に利用する暖房熱媒を加熱して暖房端末に供給すると共に、この暖房熱媒を利用して給湯を行う暖房給湯装置に関する。
【背景技術】
【０００２】
従来から、燃焼部の燃焼熱で加熱した暖房熱媒を利用して暖房を行い、この暖房熱媒の熱を利用して加熱した湯水を給湯する暖房給湯装置が利用されている。このような暖房給湯装置として、例えば特許文献１のように、暖房熱媒の流路を切替えることによって暖房運転と給湯運転を切替えて行う暖房給湯装置が知られている。
【０００３】
特許文献１の暖房給湯装置は、燃料を燃焼させる燃焼部と、この燃焼部で発生する高温の燃焼ガスと暖房熱媒との熱交換を行う熱交換器と、暖房熱媒と給湯用の湯水との熱交換を行う給湯用熱交換器等を備えている。暖房運転では、この熱交換器と暖房端末の間で暖房熱媒を循環させる。給湯運転では、暖房熱媒によって給湯用熱交換器で加熱された湯水を給湯する。
【０００４】
また、例えば特許文献２のように、熱源機で加熱した上水を給湯栓に供給すると共にこの加熱した上水を暖房端末に供給することによって、給湯運転と暖房運転を同時に行う暖房給湯同時運転が可能なように構成された暖房給湯装置が知られている。この暖房給湯装置は、暖房給湯同時運転時には給湯を優先するために、暖房端末に供給する加熱後の上水の流量を減少させる給湯優先制御を行う。
【先行技術文献】
【特許文献】
【０００５】
【特許文献１】特許第４４７７５６６号公報
【特許文献２】特開２０１４‐１６３５９０号公報
【発明の概要】
【発明が解決しようとする課題】
【０００６】
ところで、給湯栓を備えた給湯配管に給湯設定温度の湯水を流通させて温水を準備しておき、給湯栓を開けるとすぐにこの給湯栓から温水を使用することができる即湯システムも広く利用されている。即湯システムの給湯装置は、給湯配管の温水の温度を維持するために、給湯配管に温水を循環させて必要があればその湯水を加熱する即湯運転を行う。また、給湯配管の温水が給湯栓から給湯されると、給湯装置には温水の使用量相当の上水が供給され、この上水を給湯装置が加熱して給湯配管に供給する。従って即湯システムの給湯装置は、給湯栓からの温水使用の場合も即湯運転の場合も、加熱した温水を給湯配管に供給する給湯運転を行っている。
【０００７】
即湯システムの給湯装置が特許文献１のような暖房運転も行う暖房給湯装置である場合、暖房運転中に給湯運転が開始されると、一般的に特許文献２のように暖房運転よりも給湯運転が優先されて暖房運転が休止される。給湯栓からの温水使用のための給湯運転の場合に給湯運転が優先されることは好ましいが、給湯配管の保温のための給湯運転が優先されると即湯システムの使用環境等によっては暖房運転が長時間休止されることもあり、給湯運転を優先するだけでは使用者の快適性を損なう虞がある。
【０００８】
本発明の目的は、給湯運転の目的に応じて優先する運転を変更できる暖房給湯装置を提供することである。
【課題を解決するための手段】
【０００９】
請求項１の発明の暖房給湯装置は、燃焼手段と、前記燃焼手段で発生する熱により暖房熱媒を加熱するための熱交換器と、外部の暖房端末と前記熱交換器とを接続する循環通路と、暖房熱媒を循環させるために前記循環通路に配設された循環手段と、前記循環通路から分岐されて前記暖房端末をバイパスするバイパス通路と、前記バイパス通路の分岐部に配設された分配手段と、前記バイパス通路に配設された給湯用熱交換器と、前記給湯用熱交換器に外部の給湯配管及び給水配管の湯水を供給する入水通路と、前記給湯用熱交換器で加熱された湯水を所定の給湯設定温度で前記給湯配管に給湯するための給湯通路と、前記暖房端末に暖房熱媒を供給する暖房運転と前記給湯配管に給湯する給湯運転に夫々対応可能なように前記分配手段を制御する制御手段を備えた暖房給湯装置において、前記制御手段は、暖房要求と併せて温水使用のための給湯要求がある場合には前記給湯運転を優先し、暖房要求と併せて前記給湯配管の保温のための保温要求がある場合には前記暖房運転を優先することを特徴としている。
【００１０】
上記構成によれば、加熱した暖房熱媒を外部の暖房端末に供給する暖房運転と外部の給湯配管に給湯する給湯運転が可能な暖房給湯装置において暖房要求があるときに、温水使用を目的とした給湯要求がある場合は給湯運転を優先し、給湯配管の保温を目的とした保温要求がある場合は暖房運転を優先する。従って、給湯運転の目的に応じて優先する運転を変更でき、使用者の快適性の向上を図ることができる。
【００１１】
請求項２の発明の暖房給湯装置は、請求項１の発明において、前記制御手段に通信可能に接続された操作端末を備え、前記制御手段は、前記暖房要求と併せて前記保温要求がある場合に、この保温要求が前記操作端末の操作によるものであれば、その保温要求があったときから所定期間は前記給湯運転を優先することを特徴としている。
【００１２】
上記構成によれば、暖房要求と併せて保温要求がある場合には暖房運転が優先されるところ、この保温要求が操作端末の操作によるものであれば、その保温要求があったときから所定期間は給湯配管の保温のために給湯運転を優先する。従って、使用者の操作に基づいて保温要求がある場合に給湯運転を優先するように変更して、使用者の快適性の向上を図ることができる。
【００１３】
請求項３の発明の暖房給湯装置は、請求項１又は２の発明において、前記給湯用熱交換器に入水する湯水の入水温度を検知する入水温度検知手段を前記入水通路に備え、前記制御手段は、前記暖房要求と併せて前記保温要求がある場合に、前記給湯設定温度に応じて決定される所定温度よりも前記入水温度が低い間は前記給湯運転を優先することを特徴としている。
【００１４】
上記構成によれば、暖房要求と併せて保温要求がある場合には暖房運転が優先されるところ、給湯設定温度に応じて決定される所定温度よりも入水温度が低い間は、給湯配管の保温のために給湯運転を優先する。従って、給湯配管の温水の温度を確認したときに、給湯設定温度より低温のため保温要求があっても所定温度までの低い温度の温水を許容して暖房運転を優先するので、温水を使用しない使用者の快適性の向上を図ることができる。また、所定温度より低温であれば給湯配管の保温のために給湯運転を優先するように変更することができるので、温水の使用に備えて温水の温度を所定温度以上に維持して、温水の使用者の快適性を損なわないようにすることができる。
【００１５】
請求項４の発明の暖房給湯装置は、請求項１又は２の発明において、前記給湯用熱交換器に入水する湯水の入水温度を検知する入水温度検知手段を前記入水通路に備え、前記制御手段は、前記暖房要求と併せて前記保温要求がある場合に、前記給湯設定温度から前記入水温度を差し引いた差温が予め定められた所定値以上である間は前記給湯運転を優先することを特徴としている。
【００１６】
上記構成によれば、暖房要求と併せて保温要求がある場合に暖房運転が優先されるところ、給湯設定温度と入水温度との差温が所定値以上である間は、給湯配管の保温のための給湯運転を優先する。従って、給湯配管の温水の温度を確認したときに、給湯設定温度より低温のため保温要求があっても給湯設定温度よりも所定値だけ低い温度までの温水を許容して暖房運転を優先するので、温水を使用しない使用者の快適性の向上を図ることができる。また、差温が所定値以上である間は給湯配管の保温のために給湯運転を優先するように変更することができるので、温水の使用に備えて温水の温度を給湯設定温度よりも所定値だけ低い温度以上に維持して、温水の使用者の快適性を損なわないようにすることができる。
【発明の効果】
【００１７】
本発明の暖房給湯装置によれば、給湯運転の目的に応じて優先する運転を変更できるので、使用者の快適性の向上を図ることができる。
【図面の簡単な説明】
【００１８】
【図１】本発明の実施例に係る暖房給湯装置の構成を示す図である。
【図２】本発明の実施例に係る優先判定制御のフローチャートである。
【図３】暖房給湯装置を部分的に変更した構成の１例を示す図である。
【発明を実施するための形態】
【００１９】
以下、本発明を実施するための形態について実施例に基づいて説明する。
【実施例】
【００２０】
最初に、本発明の暖房給湯装置１と暖房端末３１を備えた暖房即湯システムＨの全体構成について、図１に基づいて説明する。
暖房即湯システムＨは、暖房給湯装置１で加熱した暖房熱媒を暖房端末３１に供給して暖房し、暖房熱媒の熱を利用して加熱した湯水を給湯配管３２に供給し、給湯配管３２に配設された給湯栓３２ａから温水を使用するように構成されている。
【００２１】
暖房端末３１は、暖房熱媒の熱を例えば部屋の床に伝えるための伝熱管を有する床暖房装置や、暖房熱媒の熱で温めた空気を自然対流させる放熱器等の公知の暖房装置である。暖房に利用された暖房熱媒は、再加熱のため暖房給湯装置１に戻る。給湯配管３２は、暖房給湯装置１から延びて、例えば住宅の台所や洗面所、浴室等の複数の温水使用箇所を経由して暖房給湯装置１に戻るように配設され、温水使用箇所毎に給湯栓が配設され、給湯栓３２ａは例えば浴室の給湯栓である。給湯配管３２には、即湯運転時に温水を循環させるための温水循環ポンプ３３が配設されている。
【００２２】
次に、暖房給湯装置１について説明する。
暖房給湯装置１は、燃焼部２の燃焼熱を利用して加熱した暖房熱媒を暖房給湯装置１の外部に設置された暖房端末３１に供給する暖房運転と、入水した湯水を暖房熱媒の熱を利用して給湯設定温度に調整して外部の給湯配管３２に給湯する給湯運転が夫々可能なように構成されている。給湯運転には、上水を給湯設定温度に調整して給湯する場合と、給湯配管３２の温水の温度を維持するためにその温水を循環させて必要があれば加熱する即湯運転の場合がある。
【００２３】
暖房給湯装置１は、燃焼手段である燃焼部２と、熱交換器１０と、この熱交換器１０と外部の暖房端末３１を接続する循環通路４と、循環通路４の熱交換器１０の入口側（上流側）に設けられた暖房熱媒の循環手段である循環ポンプ１１等を備えている。燃焼部２は燃焼用送風機３を備え、この燃焼用送風機３によって矢印ＡＳで示す給気と矢印Ｆで示す燃料ガスを混合して供給される混合ガスを、燃焼部２で燃焼させる。発生する燃焼ガス量及び燃焼熱量は、燃焼用送風機３の回転数によって調整される。熱交換器１０は、燃焼部２で発生した燃焼ガスと循環する暖房熱媒との間で熱交換させて、暖房熱媒を設定された温度に加熱する。熱交換により温度が下がった燃焼ガスは、矢印Ｅで示すように外部に排気される。
【００２４】
また、暖房給湯装置１は、第１バイパス通路１２（バイパス通路）と、この第１バイパス通路１２に設けられた給湯用熱交換器２０と、入水通路１９と、給湯通路２１等を備えている。第１バイパス通路１２は、暖房端末３１をバイパスするように、熱交換器１０の出口側（下流側）で循環通路４から分岐されて循環ポンプ１１の入口側（上流側）で循環通路４に接続されている。入水通路１９は、矢印ＣＷで示すように外部の給水配管３４から供給される上水を給湯用熱交換器２０に供給する。給湯通路２１は、給湯用熱交換器２０で加熱された湯水を外部の給湯配管３２に供給する。
【００２５】
次に、循環通路４について説明する。
循環通路４は、循環ポンプ１１と熱交換器１０の間に第１温度センサ１３を備え、熱交換器１０の出口側に第２温度センサ１４を備えている。第１温度センサ１３は、熱交換器１０に流入する暖房熱媒の温度を検知する。第２温度センサ１４は、熱交換器１０で加熱された暖房熱媒の温度を検知する。
【００２６】
熱交換器１０の出口側の循環通路４から第１バイパス通路１２が分岐する分岐部には、循環する暖房熱媒の分配手段である第１分配弁１５が設けられている。第１分配弁１５は、熱交換器１０で加熱された暖房熱媒を循環通路４と第１バイパス通路１２に分配する。第１分配弁１５は、暖房運転では暖房熱媒の全量が暖房側の暖房端末３１に供給されるように、給湯運転では暖房熱媒の全量が給湯側の給湯用熱交換器２０に供給されるように調整される。即ち暖房運転と給湯運転の夫々に対応可能なように第１分配弁１５の分配比が調整される。この第１分配弁１５が暖房側と給湯側に暖房熱媒を分配するように分配比を調整して、暖房運転と給湯運転を同時に行うようにすることもできる。尚、分配手段は暖房熱媒の流路を暖房側又は給湯側に切替える切替弁（三方弁）であってもよい。
【００２７】
熱交換器１０と第１分配弁１５の間には、循環通路４内の圧力を開放する圧力開放弁１６が設けられている。循環ポンプ１１の上流側には、暖房端末３１から戻ってくる暖房熱媒の温度を検知する暖房戻り温度センサ１７が設けられている。循環ポンプ１１と暖房戻り温度センサ１７の間には、矢印Ｒで示すように暖房熱媒を補充するための補充通路１８が接続されている。
【００２８】
次に、給湯用熱交換器２０について説明する。
給湯用熱交換器２０はプレート式熱交換器であり、積層された複数の熱交換プレート間に通路が形成されている。給湯用熱交換器２０内では、暖房熱媒と入水通路１９から供給される湯水が互いに混ざり合うことなく対向するように熱交換プレート間の通路を一つ置きに流れる。これらの熱交換プレートには、表面積を拡大して熱交換効率を向上させるために凹凸が形成されている。
【００２９】
次に、入水通路１９と給湯通路２１について説明する。
入水通路１９は、第２分配弁２３と、流量調整弁２４と、給湯流量センサ２５と、入水温度センサ２６（入水温度検知手段）を備えている。給湯栓３２ａの開栓により矢印ＣＷで示すように上水が入水通路１９に供給される。また、温水循環ポンプ３３の駆動により、給湯配管３２の温水が入水通路１９に供給される。
【００３０】
入水通路１９から給湯用熱交換器２０をバイパスする第２バイパス通路２２が分岐されている。この分岐部に配設された第２分配弁２３が入水通路１９と第２バイパス通路２２に湯水を分配し、その分配比は調整可能である。流量調整弁２４は、第２分配弁２３に入水する湯水の流量を調整する。給湯流量センサ２５は、第２分配弁２３に供給される湯水の流量を検知する。入水温度センサ２６は、第２分配弁２３に入水する湯水の温度、即ち給湯用熱交換器２０に入水する湯水の入水温度を検知する。
【００３１】
給湯通路２１には、合流部Ｃにおいて第２バイパス通路２２が接続されている。合流部Ｃと給湯用熱交換器２０との間に設けられた出湯温度センサ２７は、給湯用熱交換器２０で加熱された湯水の温度を検知する。給湯通路２１の下流側端部に設けられた給湯温度センサ２８は、給湯用熱交換器２０で加熱された湯水と第２バイパス通路２２を流れる湯水とが混合されて給湯配管３２に供給される温水の温度を検知する。給湯運転において、この温度が予め設定された給湯設定温度になるように第２分配弁２３等が制御される。
【００３２】
次に、制御部５（制御手段）について説明する。
暖房給湯装置１は、暖房運転や給湯運転を制御する制御部５を備えている。制御部５には、給湯設定温度の設定操作や、暖房運転の開始操作、給湯配管３２の温水の温度を給湯設定温度にするための操作（即湯運転の開始操作）等を行うための操作端末６が通信可能に接続されている。この操作端末６は、例えば暖房端末３１が暖房を行う室内に配設され、各種温度や運転状況等を表示可能な表示部７と、設定操作や暖房運転の開始操作等を行うためのスイッチ部８と、警報音等を出力する図示外の音声出力部を備えている。また、屋外に配設された外気温度センサ３０が制御部５と通信可能に接続されている。
【００３３】
制御部５は、第１温度センサ１３等の検知温度、燃焼用送風機３や循環ポンプ１１の回転数等を受信可能に、且つ燃焼用送風機３の回転数や循環ポンプ１１，温水循環ポンプ３３の回転数の調整、第１，第２分配弁１５，２３の分配比の調整等が可能なように接続されている。これにより暖房運転、給湯運転等を制御する。
【００３４】
次に、暖房運転について説明する。
暖房即湯システムＨの使用者による暖房運転の開始操作によって、又は使用者がタイマー機能を利用して設定した暖房運転開始時刻になったことによって、制御部５に暖房要求が入力される。暖房要求は、暖房運転の終了操作等によって暖房運転が終了するまで制御部５に入力される。尚、暖房端末３１が制御部５に通信可能に接続され、暖房端末３１における暖房運転開始操作によって制御部５に暖房要求が入力されてもよい。
【００３５】
制御部５に暖房要求が入力されると、制御部５は燃焼部２で燃焼させ、循環ポンプ１１を駆動し、熱交換器１０で加熱された暖房熱媒の全量が熱交換器１０と暖房端末３１の間で循環するように第１分配弁１５を調整する。そして、熱交換器１０で加熱した暖房熱媒を暖房端末３１に供給し、暖房端末３１から戻ってきた暖房熱媒を熱交換器１０で加熱する暖房運転を行う。
【００３６】
次に、給湯運転について説明する。
暖房即湯システムＨの使用者による給湯栓３２ａの開栓によって給湯流量センサ２５が予め設定された所定流量以上の流量を検知すると、制御部５に給湯要求が入力される。即湯運転中の給湯栓３２ａの開栓は、給湯流量センサ２５の所定流量以上の流量の検知と併せて、給湯用熱交換器２０に低温の上水が入水することによって入水温度が低温になったことにより判定できる。給湯流量センサ２５が所定流量以上の流量を検知している間は、給湯要求が制御部５に入力される。
【００３７】
暖房即湯システムＨの使用者の即湯運転の開始操作によって、又は制御部５が即湯運転中に行う給湯配管３２の温水の温度の確認において温水が給湯設定温度未満であることによって、制御部５に保温要求が入力される。保温要求は、即湯運転の開始操作後の所定期間及び給湯配管３２の温水が給湯設定温度未満の間は制御部５に入力される。使用者の即湯運転の開始操作には、使用者がタイマー機能を利用して設定した即湯運転の開始時刻になったことも含まれる。尚、即湯運転中の温水の温度確認は、温水使用がなくても給湯配管３２の温水の温度を維持するために、常時又は定期的に（例えば１０分毎に）温水循環ポンプ３３を駆動して温水を循環させ、入水温度センサ２６によってその温水の温度を検知することにより行われる。
【００３８】
制御部５に給湯要求又は保温要求が入力されると、制御部５は燃焼部２で燃焼させ、循環ポンプ１１を駆動し、熱交換器１０で加熱された暖房熱媒の全量を給湯用熱交換器２０に供給するように第１分配弁１５を調整する。そして、暖房熱媒との熱交換により給湯用熱交換器２０で加熱した湯水を、給湯通路２１で給湯設定温度に調整して給湯配管３２に供給する給湯運転を行う。このとき給湯温度センサ２８の検知温度が給湯設定温度となるように、入水温度センサ２６と出湯温度センサ２７の検知温度に基づき第２分配弁２３の分配比が調整され、給湯用熱交換器２０で加熱された湯水に第２バイパス通路２２の湯水が給湯通路２１で混合されて給湯配管３２に供給される。給湯温度センサ２８の検知温度に基づいて第２分配弁２３の分配比等をさらに調整してもよい。熱交換器１０で加熱された暖房熱媒は、給湯用熱交換器２０で入水通路１９から供給される湯水と熱交換した後、循環通路４に流入して熱交換器１０に戻る。
【００３９】
上記のように暖房給湯装置１は、暖房要求があるときには暖房熱媒を暖房端末３１に供給する暖房運転を行い、給湯要求又は保温要求があるときには給湯設定温度の温水を給湯配管３２に供給する給湯運転を行う。暖房要求と併せて給湯要求があるときには、給湯運転を優先して行う。暖房要求と併せて保温要求があるときには基本的に暖房運転を優先し、その保温要求について所定の条件が成立するときには給湯運転を優先するように変更する。所定の条件は、
（条件１）使用者の操作端末６の操作による保温要求であること、
（条件２）給湯設定温度に応じて決定される所定温度（給湯設定温度≧所定温度）よりも入水温度が低温であること、又は、入水温度と給湯設定温度の差温（差温＝給湯設定温度−入水温度）が所定値以上であること、
であり、条件１又は条件２の何れか一方が成立する場合に給湯運転を優先する。
【００４０】
所定温度は、例えば温水の温度が高い程給湯配管３２における放熱が増加して無駄が大きくなること、給湯栓３２ａの開栓直後の温水温度と給湯設定温度との差が大きくなると快適性が損なわれることを考慮して決定される。具体的には給湯設定温度をＴｔ、所定温度をＴｒとしたときに、例えばＴｒ＝Ｔｔ／２＋１６（Ｔｔ≧３２）［℃］のような演算式に基づいて、給湯設定温度Ｔｔによって所定温度Ｔｒが決定される。差温の所定値は、例えば快適性を重視して給湯栓３２ａの開栓直後に使用される温水の温度と給湯設定温度との差が大きくなり過ぎない温度（例えば３℃）に設定されている。
【００４１】
暖房用給と併せて保温要求がある場合に、暖房運転と給湯運転のどちらを優先するかを判定する制御部５の優先判定制御の１例を図２のフローチャートに示す。図中のＳｉ（ｉ＝１，２，・・・）はステップを表す。
【００４２】
最初にＳ１において、給湯流量センサ２５が所定の給湯流量以上を検知したか否か判定する。判定がＹｅｓの場合はＳ２に進み、判定がＮｏの場合は給湯運転を行わないため優先判定を行わないのでリターンする。次にＳ２において、暖房要求があるか否か判定する。暖房要求があって判定がＹｅｓの場合はＳ３に進み、判定がＮｏの場合は暖房運転を行わないため優先判定を行わないのでリターンする。
【００４３】
次にＳ３において、Ｓ１の判定により開始する給湯運転について、給湯栓３２ａからの温水使用のための給湯要求があるか否か判定する。上記の通り、給湯栓３２ａの開栓により給湯流量センサ２５が所定の給湯流量以上を検知した場合には、上水の入水によって入水温度が低温になるので、給湯栓３２ａからの温水使用のための給湯要求があると判定できる。判定がＹｅｓ、即ち給湯要求がある場合にＳ４に進んで温水使用が終了するまで給湯運転を優先させてリターンする。判定がＮｏ、即ち即湯運転によって給湯配管３２を保温するための保温要求がある場合にＳ５に進む。
【００４４】
次にＳ５において、保温要求は暖房即湯システムＨの使用者の即湯運転の開始操作によるものか否か判定する。このＳ５は上記の条件１の判定ステップであり、例えば即湯運転の開始操作が保温要求の直前であれば使用者の操作によるものであると判定できる。判定がＹｅｓの場合はＳ６に進み、Ｓ６において使用者による即湯運転の開始操作によって最初の保温要求の入力があってから所定期間は使用者の操作を反映させて給湯運転を優先する。給湯運転を優先する所定期間は、給湯配管３２の温水の準備に必要な期間であり、暖房即湯システムＨの仕様（暖房給湯装置１の給湯性能や給湯配管３２の長さ）に応じて予め設定されている。判定がＮｏの場合は、保温要求は給湯配管３２の温水の温度が給湯設定温度未満であることによるものであり、Ｓ７に進む。
【００４５】
次にＳ７において、入水温度が所定温度以下であるか否か、又は、入水温度と給湯設定温度の差温が所定値以上であるか否か判定する。このＳ７は上記の条件２の判定ステップである。給湯配管３２の温水の温度が使用者の快適性を損なう虞が大きくなる程度に低いか否かを判定するものであり、どちらの条件を判定するかは予め操作端末６から選択しておくことができる。判定がＹｅｓの場合はＳ８に進み、Ｓ８において保温要求がなくなるまで給湯運転を優先してリターンする。判定がＮｏの場合はＳ９に進み、Ｓ９において次の温度確認まで暖房運転を優先してリターンする。
【００４６】
本発明の暖房給湯装置１の作用、効果について説明する。
暖房即湯システムＨに組み込まれた暖房給湯装置１は、暖房要求があるときは暖房運転を行い、給湯要求又は保温要求があるときは給湯運転を行う。そして、暖房要求と併せて給湯要求があるときには給湯運転を優先し、暖房要求と併せて保温要求があるときには暖房運転を優先する。それ故、暖房給湯装置１は、使用者が温水を使用する場合に給湯運転を優先し、使用者が温水を使用しない場合に暖房運転を優先することができる。従って、給湯運転の目的に応じて優先する運転を変更でき、使用者の快適性の向上を図ることができる。
【００４７】
また、暖房給湯装置１は、暖房要求と併せて保温要求があって暖房運転を優先する場合、即ち使用者が温水を使用しないため暖房運転を優先する場合であっても、上記の所定の条件が成立するときには給湯配管３２の温水の保温のための給湯運転を優先する。従って暖房要求と併せて保温要求がある場合に暖房運転が優先されるところ、給湯運転を優先するように変更して、使用者の快適性の向上を図ることができる。
【００４８】
暖房給湯装置１が、図３に示すように給湯配管３２を入水通路１９に接続するための即湯用通路２９を備え、即湯用通路２９に温水循環ポンプ２９ａと循環水量センサ２９ｂを配設し、循環水量センサ２９ｂも利用することにより給湯運転の目的の判定が容易な構成にすることもできる。また、暖房給湯装置１が暖房給湯同時運転可能に構成されている即湯システムに適用して、暖房又は給湯の負荷が大きいため暖房給湯同時運転が困難な場合に快適性の向上を図ることができる。その他、当業者であれば、本発明の趣旨を逸脱することなく、上記実施形態に種々の変更を付加した形態で実施可能であり、本発明はそのような変更形態を包含するものである。
【符号の説明】
【００４９】
１      ：暖房給湯装置
２      ：燃焼部（燃焼手段）
４      ：循環通路
５      ：制御部（制御手段）
６      ：操作端末
１０    ：熱交換器
１１    ：循環ポンプ（循環手段）
１２    ：第１バイパス通路（バイパス通路）
１５    ：第１分配弁（分配手段）
１９    ：入水通路
２０    ：給湯用熱交換器
２１    ：給湯通路
２５    ：給湯流量センサ
２６    ：入水温度センサ（入水温度検知手段）
３１    ：暖房端末
３２    ：給湯配管
３２ａ  ：給湯栓
３３    ：温水循環ポンプ
３４    ：給水配管
【図１】
2020085352.tif 000003
【図２】
2020085352.tif 000004
【図３】
2020085352.tif 000005